(57)【要約】【課題】床パネル等の吊り対象物に対する脱着を極めて容易に行え、それでいて、吊り中に吊り対象物に対してしっかりとした取り付き状態を維持することができて吊り対象物から外れることがない吊り治具を提供する。【解決手段】側面視Ｌ形の引掛け部品４の垂直辺部４ａの上端側に押さえアーム５の中間部が枢着され、枢着部６を挟む一方の側に吊り対象物の縁部の上面側を押える押さえ材７が設けられると共に、枢着部６を挟む他端側に吊りワイヤー等を連結する吊り連結部１０が設けられ、バネ１１の付勢力で、吊り対象物の縁部が引掛け部品の引掛け部とアームの押さえ部とで挟み込まれた状態に保持されるようになされている【選択図】      図１
2007238220.tif 000002
【特許請求の範囲】
【請求項１】
吊り対象物の縁部に引っ掛けられて、該吊り対象物を吊るのに用いられる吊り治具であって、
垂直辺部の下端部に水平辺部が備えられ、該水平辺部を、吊り対象物の縁部下面側に引っ掛けられる引掛け部とした側面視Ｌ形の引掛け部品と、
長さ方向の中間部が引掛け部品の垂直辺部の上端側に枢着され、該枢着部を挟む一方の側に吊り対象物の縁部の上面側を押える押さえ部が設けられると共に、枢着部を挟む他端側に吊り手段を連結する吊り連結部が設けられた押さえアームと、
該押さえアームの押さえ部を、前記枢着部を中心として引掛け部品の引掛け部の側に付勢し、吊り対象物の縁部を引掛け部品の引掛け部とアームの押さえ部とで挟み込んだ状態に保持する付勢手段と
が備えられていることを特徴とする吊り治具。
【請求項２】
所定の寸法の隙間をおいて隣り合って敷設されるパネルを吊り対象物とし、
前記引掛け部品の垂直辺部が、該隙間を形成するスペーサーを兼ね、引掛け部品の引掛け部を、パネル敷設後、前記垂直辺部で形成されたパネル間隙間の延びる方向に向けることで、該隙間を通じて上方に抜出することができるようになされている請求項１に記載の吊り治具。
【請求項３】
前記引掛け部品の引掛け部に、吊り対象物の縁部下面側に対する食い込み用の爪が備えられている請求項１又は２に記載の吊り治具。
【発明の詳細な説明】
【技術分野】
【０００１】
本発明は、例えば床パネル等の吊り対象物をクレーン等で吊るのに用いられる吊り治具に関する。
【背景技術】
【０００２】
例えば、住宅等の建物の２階の床の施工に用いられる床パネル等を吊り対象物とする吊り治具は、従来より提供されているが、吊り対象物に対する脱着を極めて容易に行え、それでいて、吊り中に吊り対象物に対してしっかりとした取り付き状態を維持することができて吊り対象物から外れることがない吊り治具は、未だ提供されていない。
【特許文献１】特開平８−５３９４２号公報
【発明の開示】
【発明が解決しようとする課題】
【０００３】
本発明は、上記のような問題点に鑑み、吊り対象物に対する脱着を極めて容易に行え、それでいて、吊り中に吊り対象物に対してしっかりとした取り付き状態を維持することができて吊り対象物から外れることがない吊り治具を提供することを課題とする。
【課題を解決するための手段】
【０００４】
上記の課題は、吊り対象物の縁部に引っ掛けられて、該吊り対象物を吊るのに用いられる吊り治具であって、
垂直辺部の下端部に水平辺部が備えられ、該水平辺部を、吊り対象物の縁部下面側に引っ掛けられる引掛け部とした側面視Ｌ形の引掛け部品と、
長さ方向の中間部が引掛け部品の垂直辺部の上端側に枢着され、該枢着部を挟む一方の側に吊り対象物の縁部の上面側を押える押さえ部が設けられると共に、枢着部を挟む他端側に吊り手段を連結する吊り連結部が設けられた押さえアームと、
該押さえアームの押さえ部を、前記枢着部を中心として引掛け部品の引掛け部の側に付勢し、吊り対象物の縁部を引掛け部品の引掛け部とアームの押さえ部とで挟み込んだ状態に保持する付勢手段と
が備えられていることを特徴とする吊り治具によって解決される（第１発明）。
【０００５】
この吊り治具では、吊り対象物への取付けは、押さえアームを付勢手段の付勢力に抗して回動させて押さえ部と引掛け部との間を開き、それらの間に吊り対象物の縁部を入れ、そして、押さえアームを付勢手段の付勢力によって復帰回動させれば、吊り治具は、吊り対象物の縁部を押さえ部と引掛け部とで上下方向から挟み込んだ取付け状態になり、吊り対象物の縁部に対して、極めて容易に取り付けることができる。
【０００６】
こうして取付けを終えた後、押さえアームの吊り連結部に吊りワイヤー等の吊り手段を連結し、クレーン等により吊り対象物を吊り上げるが、吊り状態において、押さえアームの吊り連結部には上方への引張り力が作用し、この引張り力は枢着部を挟んで吊り連結部とは反対の側に位置する押さえ部を吊り対象物の上面側に押さえ付ける力として伝えられ、吊り対象物の縁部は、アームの押さえ部と引掛け部品の引掛け部によって、付勢手段による付勢力よりも大きな力で挟み込まれ、吊り治具は、吊り対象物の縁部に対してしっかりとした取り付き状態を維持し、吊り対象物から外れるのが防がれる。
【０００７】
そして、吊り対象物からの取外しは、押さえアームを付勢手段の付勢力に抗して回動させて押さえ部と引掛け部との間を開けば、吊り対象物の縁部から外すことができ、吊り対象物の縁部からの取外しを極めて容易に行うことができる。
【０００８】
第１発明の吊り治具が、所定の寸法の隙間をおいて隣り合って敷設されるパネルを吊り対象物とし、
前記引掛け部品の垂直辺部が、該隙間を形成するスペーサーを兼ね、引掛け部品の引掛け部を、パネル敷設後、前記垂直辺部で形成されたパネル間隙間の延びる方向に向けることで、該隙間を通じて上方に抜出することができるようになされているとよい（第２発明）。
【０００９】
この場合は、吊り治具を垂直辺部がパネルの縁部に当接ないしは近接するようにパネル縁部に取り付けて吊り、そして、該垂直辺部を吊りパネルの縁部と敷設済みのパネルの縁部で挟み込むように吊りパネルを敷設するだけで、隣り合うパネル間に所定の寸法の隙間が形成され、パネルの敷設作業を能率良く行っていくことができる。
【００１０】
しかも、引掛け部品の引掛け部は、その隙間の延びる方向に向けるだけで該隙間を通じて上方に抜出することができるようになされているので、吊り治具をパネルの縁部から支障なく取り外すことができる。
【００１１】
第１，第２発明において、引掛け部品の引掛け部に、吊り対象物の縁部下面側に対する食い込み用の爪が備えられているとよい（第３発明）。
【００１２】
この場合は、吊り状態において、押さえアームの吊り連結部に作用する引張り力で吊り対象物の縁部がアームの押さえ部と引掛け部品の引掛け部によって挟み込まれるのを利用することで、爪を吊り対象物の縁部下面側に食い込ませることができ、吊り中、吹き上げ力等によってその引張り力が働かなくなった場合でも、吊り対象物の縁部下面側への爪の食い込みによって、吊り治具が吊り対象物の縁部から外れてしまうのを防止することができる。
【発明の効果】
【００１３】
本発明は、以上のとおりのものであるから、吊り対象物に対する脱着を極めて容易に行え、それでいて、吊り中に吊り対象物に対してしっかりとした取り付き状態を維持することができて吊り対象物から外れることもない。
【発明を実施するための最良の形態】
【００１４】
次に、本発明の実施最良形態を図面に基づいて説明する。
【００１５】
図１に示す実施形態の吊り治具３は、図５（イ）（ロ）に示すように、住宅等の建物の二階床梁２…に敷設される床パネル１…を吊り対象物とする。
【００１６】
各床パネル１は、合板などからなる床板１ａの下面側に根太１ｂ…が備えられたものからなっていて、床梁２に支承される側の辺部、即ち根太１ｂ…の延びる方向と直交する辺部において、隣り合う床パネル１，１の間に例えば１０ｍｍ程度の隙間ｉをあけて敷設される。床パネル１において、吊り治具３の取付け位置は、根太１ｂ…の延びる方向における両端部の左右位置の床板１ａ部分である。
【００１７】
図１に示す吊り治具３において、４は引掛け部品であり、該引掛け部品４は、垂直辺部４ａの下端部に水平辺部４ｂが備えられ、該水平辺部４ｂを、床パネル１の縁部下面側に引っ掛けられる引掛け部とした側面視Ｌ形のものからなる。
【００１８】
この引掛け部品４の垂直辺部の上端側には、押さえアーム５の長さ方向の中間部がピン６ａで枢着され、該枢着部６を挟んで引掛け部品４の引掛け部４ｂが存在する側に、床パネルの縁部の上面側を押える押さえ部としての押さえ材７が設けられ、枢着部６を挟む他端側には吊りワイヤー等の吊り手段を連結する吊り連結部１０が設けられている。
【００１９】
そして、該吊り治具３には、付勢手段としてのバネ１１が組み付けられ、該バネ１１の付勢力により、押さえアーム５の押さえ材７の側が、枢着部６を中心として引掛け部品４の引掛け部４ｂの側に回動し、床パネルの縁部を引掛け部品４の引掛け部４ｂとアーム５の押さえ材７とで挟み込むことができるようになされている。４ｃは手掛かり部である。
【００２０】
押さえ材７は、板状の押さえ本体部７ｂの上面部に設けられた軸受け部７ａ，７ａに側方より通されたピン８ａで押さえアーム５に枢着され、該枢着部８を中心として前後方向に回動することで、床パネルの縁部を引掛け部品４の引掛け部４ｂとアーム５の押さえ材７とで挟み込んだ状態で床パネルの縁部上面側に沿うように向くことができるようになされている。９はゴムパッド、１３はスペーサーである。
【００２１】
そして、引掛け部品４の垂直辺部４ａは、一辺が１０ｍｍ程度の正方形断面をしていて、床パネル１，１間の隙間ｉを形成するスペーサーを兼ね、引掛け部品４の引掛け部４ｂは、床パネル１の敷設後、引掛け状態から、垂直辺部４ａで形成された床パネル１，１間の隙間ｉの延びる方向に向けることで、該隙間ｉを通じて上方に抜出することができる幅狭な形態をしている。
【００２２】
上記の吊り治具３では、床パネル１への取付けは、次のようにして極めて容易に行うことができる。即ち、図２（イ）（ロ）に示すように、押さえアーム５の吊り連結部１０側と手掛かり部４ｃとを、バネ１１の付勢力に抗して、手で掴み込んで近づけることにより、引掛け部４ｂと押さえ材７との間を開き、それらの間に床パネル１の床板１ａの縁部を入れ、そして、図２（ハ）に示すように、バネ１１の付勢力により、引掛け部４ｂと押さえ材７とで床板１ａの縁部を上下方向から挟み込んだ状態にするだけでよい。取付け状態の吊り治具３は、バネ１１の付勢力により床パネル１の床板１ａを挟み込んでいるから、床パネル１から外れてしまうこともない。この取付け状態において、引掛け部品４の垂直辺部４ａは、床パネル１の床板１ａに当接ないしは近接させた状態にしておく。
【００２３】
床パネル１の吊上げは、図３（イ）に示すように、押さえアーム５の吊り連結部１０に吊りワイヤー１２等の吊り手段を連結し、クレーン等を用いて行われるが、吊り状態において、押さえアーム５の吊り連結部１０には、吊りによって上方への引張り力が作用し、この引張り力は枢着部６を挟んで吊り連結部１０とは反対の側に位置する押さえ材７を床パネル１の上面側に押さえ付ける力となって伝えられ、それにより、床パネル１の縁部は、押さえ材７と引掛け部４ｂとによって、バネ１１による付勢力よりも大きな力で挟み込まれ、吊り治具３は、床パネル１の縁部に対してしっかりとした取り付き状態を維持し、吊り中、床パネル１が他所に不意に衝突して衝撃力が加わっても、床パネル１から外れることはない。
【００２４】
床パネル１の敷設は、図３（ロ）に示すように、縁部を敷設済みの床パネル１の縁部に近づけていくようにしながら、床パネル１を床梁２の上に降ろしていき、図３（ハ）に示すように、隣り合あう床パネル１の縁部間に吊り治具３の垂直辺部４ａを挟んだ状態にして床梁２に支承させる。これにより、隣り合あう床パネル１，１間に設計通りの隙間ｉが形成される。このように、引掛け部品４の垂直辺部４ａをスペーサーとし、該垂直辺部４ａで床パネル１，１間に所定寸法の隙間ｉを形成する敷設方法を採用することにより、例えば、床梁に支承させた床パネルを床梁の上で移動させて所定寸法の隙間を形成する２段敷設方法を採用する場合に比べて、敷設作業を能率良く行っていくことができる。
【００２５】
床パネル敷設後の吊り治具３の取外しは、床上から、図２（ロ）に示す要領で手操作により引掛け部４ｂと押さえ材７とを開いた状態にし、図４（イ）（ロ）に示すように吊り治具３を９０°回したのち、図４（ハ）に示すように、上方に引き上げていけば、引掛け部４ｂは床パネル１，１間の隙間ｉを通じて床上に取り出され、吊り治具３を床パネル１，１から極めて容易に取り外すことができる。なお、吊り治具３の９０°の回し操作をスムーズなものにするため、引掛け部品４の垂直辺部４ａを円形断面や円弧状断面にしておくのもよい。
【００２６】
図５（ハ）は、吊り治具の引掛け部品４の引掛け部４ｂの他の例を示したもので、引掛け部４ｂの先端部に、床パネル１の床板１ａの縁部下面側に食い込み可能な爪１４を備えさせたものである。このような爪付き引掛け部によれば、図３（イ）に示すように、床パネル１の吊り状態において、押さえアーム５の吊り連結部１０に作用する上向きの引張り力で床パネル１の縁部が押さえ材７と引掛け部によって挟み込まれることによって、爪１４が床パネル１の床板１ａの下面側に食い込み、それにより、吊り中、吹き上げ力等によって上記の引張り力が働かなくなった場合でも、床パネル１の床板１ａの縁部下面側への爪１４の食い込みによって、吊り治具３が床パネル１の縁部から外れてしまうのを防ぐことができる。
【００２７】
以上に、本発明の実施形態を示したが、本発明はこれに限られるものではなく、発明思想を逸脱しない範囲で各種の変更が可能である。例えば、押さえアーム５に設けられる押さえ部の具体的形態に制限はなく、各種形態の押さえ部が採用されてよい。また、上記の実施形態では、吊り対象物が床パネル１である場合を示したが、屋根パネル等の他のパネルであってもよいし、パネルに限らず、各種吊り対象物であってもよい。
【図面の簡単な説明】
【００２８】
【図１】図（イ）は実施形態の吊り治具を示す斜視図、図（ロ）は同吊り治具の分解斜視図である。
【図２】図（イ）〜図（ハ）は吊り治具の取付け方法を順次に示す正面図である。
【図３】図（イ）〜図（ハ）は床パネルの吊上げ方法及び敷設方法を順次に示す正面図である。
【図４】図（イ）〜図（ハ）は吊り治具の取外し方法を順次に示す平面図、側面図である。
【図５】図（イ）は床パネルの敷設状態を示す平面図、図（ロ）は同側面図、図（ハ）は、引掛け部品の引掛け部の他の形態を示す正面図である。
【符号の説明】
【００２９】
１…床パネル（吊り対象物）
３…吊り治具
４…引掛け部品
４ａ…垂直辺部
４ｂ…水平辺部（引掛け部）
５…押さえアーム
６…枢着部
７…押さえ材（押さえ部）
１０…吊り連結部
１１…バネ（付勢手段）
１２…吊りワイヤー（吊り手段）
１４…食い込み用爪
ｉ…隙間
【図１】
2007238220.tif 000003
【図２】
2007238220.tif 000004
【図３】
2007238220.tif 000005
【図４】
2007238220.tif 000006
【図５】
2007238220.tif 000007